(57)【要約】【課題】動作確認機構を備えたものにしなくても、キャスターがロック状態になっているのか、アンロック状態になっているのかの確認を行い易くしたキャスターのロック操作装置を提供する。【解決手段】相互に近接させた一対のステップＳ1 、Ｓ2 のそれぞれのステップ部２、３を同一高さに配置し、これらの一方のステップ部２を踏み込み操作して下がった位置にすることにより、キャスターＣがロック状態となるようにし、前記他方のステップ部３を踏み込み操作して、下がった位置にした一方のステップ部２を他方のステップ部３と同一高さに戻すことにより、キャスターＣがアンロック状態となるようにした。【選択図】図3
2012101562.tif 000002
【特許請求の範囲】
【請求項１】
相互に近接させた一対のステップ（Ｓ1 、Ｓ2 ）のそれぞれのステップ部（２、３）を同一高さに配置し、これらの一方のステップ部（２）を踏み込み操作して下がった位置にすることにより、キャスター（Ｃ）がロック状態となるようにし、前記他方のステップ部（３）を踏み込み操作して、下がった位置にした一方のステップ部（２）を他方のステップ部（３）と同一高さに戻すことにより、キャスター（Ｃ）がアンロック状態となるようにしたことを特徴とするキャスターのロック操作装置。
【請求項２】
前記ステップ（Ｓ1 、Ｓ2 ）を、操作バー（Ｂ）の中央に設け、この操作バー（Ｂ）の両端部にそれぞれカム（４）を設けたものとし、前記ステップ部（２、３）の交互の踏み込み操作により前記カム（４）が上下方に回動して、前記キャスター（Ｃ）のロックピン（５）を昇降動させることにより、キャスター（Ｃ）をロック状態にしたり、アンロック状態にするようにしたことを特徴とする請求項１記載のキャスターのロック操作装置。
【請求項３】
前記ステップ（Ｓ1 、Ｓ2 ）は、基体（１）に固着された支持体（８）に回動可能に支持されており、一方のステップ（Ｓ1 ）は、略直線状に形成されており、その基端部を操作バー（Ｂ）に固着され、その回動端側を前記ステップ部（２）としており、他方のステップ（Ｓ2 ）は、略クランク状に形成されており、下方曲部（９）を支持体（８）に軸支し、上方曲部（１０）から回動端側を前記ステップ部（３）とし、前記操作バー（Ｂ）には、コイルバネ（１１）が巻装されており、一端が前記ステップ（Ｓ1 ）の基端側に係止され、他端が前記ステップ（Ｓ2 ）の基端側を押圧するようして、前記ステップ（Ｓ1 、Ｓ2 ）どうしが反発し合うようにしたことを特徴とする請求項１または２記載のキャスターのロック操作装置。
【請求項４】
前記ステップ（Ｓ1 ）の中間部に噛み合いギヤ（１４）の一方（１４ａ）を設け、前記ステップ（Ｓ2 ）の下方曲部（９）と上方曲部（１０）との間に噛み合いギヤ（１４）の他方（１４ｂ）を設け、前記ステップ（Ｓ1 、Ｓ2 ）のそれぞれのステップ部（２、３）の交互の踏み込み操作により、これら噛み合いギヤ（１４）の一方（１４ａ）と他方（１４ｂ）どうしが、噛み合ったり、噛み合いがずれて外れたりするようにしたことを特徴とする請求項３記載のキャスターのロック操作装置。
【発明の詳細な説明】
【技術分野】
【０００１】
この発明は、スーパーマーケット、コンビニエンスストアなどで使用される台車に取り付けられているキャスターや、病院、介護施設などで使用される移動式ベッドに取り付けられているキャスターなどをロック状態にしておくのに適したキャスターのロック操作装置に関するものである。
【背景技術】
【０００２】
従来、この種のキャスターのロック操作装置としては、移動式ベッドに取り付けられているキャスターなどをロック状態にしておくようにしたものが存在する。このロック装置は、例えば図１１に示したように、ベッド２１のベースフレーム２２に取り付けられたキャスターＣに実施したものとしており、前記キャスターＣを一括的にロック操作、アンロック操作を可能とした連動ロック操作機構２３を備えている。この連動ロック操作機構２３は、前記ベッド２１のベースフレーム２２の両端に設けられたキャスターＣ間に掛け渡された操作バーＢの中央個所にセンターステップＳｃと、両端側にサイドステップＳｓとを配設したものとしている（特許文献１）。
【０００３】
さらに、この種のキャスターのロック操作装置としては、例えば図１２に示したように、ステップＳの踏み込み操作によりキャスターＣのロック操作機構Ｒの操作バーＢと連動して回動するようにしたカム軸Ｘに固着させたカム（図示せず）に、キャスターＣがロック状態にあるという表示とアンロック状態にあるという表示とを付した動作確認機構Ｍを備えたものが存在する。この動作確認機構Ｍは、ステップＳの踏み込み操作を行っていない場合には、前記アンロック状態にあるという表示がカムケース３３の窓口３３ａから露出するようにし、ステップＳの踏み込み操作を行った場合には、前記ロック状態にあるという表示がカムケース３３の窓口３３ａから露出するようにしている（特許文献２）。
【０００４】
そして、これらのキャスターのロック操作装置では、前記センターステップＳｃまたはサイドステップＳｓか、前記ステップＳを足先で踏んで押し下げたり、これらステップＳｃ、Ｓｓ、Ｓに足先を引っ掛けて押し上げたりして、キャスターをロック状態にしたり、アンロック状態にしていた。
【先行技術文献】
【特許文献】
【０００５】
【特許文献１】特開２００２−１７２９０３号公報
【特許文献２】特開２００５−２５４８４２号公報
【発明の概要】
【発明が解決しようとする課題】
【０００６】
しかしながら、上記図１１に示した従来のキャスターのロック操作装置では、キャスターＣをロック状態にする場合には、センターステップＳｃまたはサイドステップＳｓを上側から足先で踏めばよいが、これらセンターステップＳｃまたはサイドステップＳｓの角度が変わるだけであるので、果してキャスターＣがロック状態になっているのか、アンロック状態になっているのかの確認が非常にし辛いという課題を有していた。
【０００７】
そのため、上記図１２に示した従来のキャスターのロック操作装置では、キャスターＣがロック状態にある場合、キャスターＣがアンロック状態にある場合の何れにおいても、その確認を動作確認機構Ｍによってできるようにしたが、この動作確認機構Ｍを備えたものにするには製造コストが高くなるという課題を有していた。
【０００８】
そこで、この発明は、上記従来の問題点を解決することをその課題としており、動作確認機構を備えたものにしなくても、キャスターがロック状態になっているのか、アンロック状態になっているのかの確認を行い易くしたキャスターのロック操作装置を提供することを目的としてなされたものである。
【課題を解決するための手段】
【０００９】
そこで、この発明のキャスターのロック操作装置は、相互に近接させた一対のステップＳ1 、Ｓ2 のそれぞれのステップ部２、３を同一高さに配置し、これらの一方のステップ部２を踏み込み操作して下がった位置にすることにより、キャスターＣがロック状態となるようにし、前記他方のステップ部３を踏み込み操作して、下がった位置にした一方のステップ部２を他方のステップ部３と同一高さに戻すことにより、キャスターＣがアンロック状態となるようにしている。
【００１０】
そして、この発明のキャスターのロック操作装置は、前記ステップＳ1 、Ｓ2 を、操作バーＢの中央に設け、この操作バーＢの両端部にそれぞれカム４を設けたものとし、前記ステップ部２、３の交互の踏み込み操作により前記カム４が上下方に回動して、前記キャスターＣのロックピン５を昇降動させることにより、キャスターＣをロック状態にしたり、アンロック状態にするようにしている。
【００１１】
さらに、この発明のキャスターのロック操作装置は、前記ステップＳ1 、Ｓ2 は、基体１に固着された支持体８に回動可能に支持されており、一方のステップＳ1 は、略直線状に形成されており、その基端部を操作バーＢに固着され、その回動端側を前記ステップ部２としており、他方のステップＳ2 は、略クランク状に形成されており、下方曲部９を支持体８に軸支し、上方曲部１０から回動端側を前記ステップ部３とし、前記操作バーＢには、コイルバネ１１が巻装されており、一端が前記ステップＳ1 の基端側に係止され、他端が前記ステップＳ2 の基端側を押圧するようして、前記ステップＳ1 、Ｓ2 どうしが反発し合うようにしている。
【００１２】
また、この発明のキャスターのロック操作装置は、前記ステップＳ1 の中間部に噛み合いギヤ１４の一方１４ａを設け、前記ステップＳ2 の下方曲部９と上方曲部１０との間に噛み合いギヤ１４の他方１４ｂを設け、前記ステップＳ1 、Ｓ2 のそれぞれのステップ部２、３の交互の踏み込み操作により、これら噛み合いギヤ１４の一方１４ａと他方１４ｂどうしが、噛み合ったり、噛み合いがずれて外れたりするようにしている。
【発明の効果】
【００１３】
この発明のキャスターのロック操作装置は、以上に述べたように構成されているので、動作確認機構を備えたものにしなくても、キャスターがロック状態になっているのか、アンロック状態になっているのかの確認が行い易いものとなった。
【図面の簡単な説明】
【００１４】
【図１】この発明のキャスターのロック操作装置を用いた台車の斜視図である。
【図２】図１に示す台車を底面側から見た状態を示す斜視図である。
【図３】この発明のキャスターのロック操作装置の正面図である。
【図４】この発明のキャスターのロック操作装置のステップの正面図である。
【図５】この発明のキャスターのロック操作装置を作動させ、台車のキャスターをロック状態にしている状態の正面図である。
【図６】図５に示す台車のキャスターの一部断面側面図である。
【図７】この発明のキャスターのロック操作装置を作動させずに、台車のキャスターをアンロック状態にしている状態の正面図である。
【図８】図７に示す台車のキャスターの一部断面側面図である。
【図９】この発明のキャスターのロック操作装置がアンロック状態にあるときのステップの状態を示す側面図である。
【図１０】この発明のキャスターのロック操作装置がロック状態にあるときのステップの状態を示す側面図である。
【図１１】従来のキャスターのロック操作装置の一例を用いたベッドを示す斜視図である。
【図１２】従来のキャスターのロック操作装置の他の例を用いたベッド等のベースフレームを示す斜視図である。
【発明を実施するための形態】
【００１５】
以下、この発明のキャスターのロック操作装置の実施の形態を、図面に基づいて詳細に説明する。
【００１６】
図１〜３は、この発明のロック操作装置を、台車Ｔなどの基体１の四隅に取り付けられたキャスターＣの前方または後方の二輪に実施した形態を示している。
【００１７】
この発明のロック操作装置は、相互に近接させた一対のステップＳ1 、Ｓ2 のそれぞれのステップ部２、３を同一高さに配置したものとしている。そして、これらの一方のステップ部２を踏み込み操作して下がった位置にすることにより、キャスターＣがロック状態となるようにしている。さらに、前記他方のステップ部３を踏み込み操作して、下がった位置にした一方のステップ部２を他方のステップ部３と同一高さに戻すことにより、キャスターＣがアンロック状態となるようにしている。
【００１８】
すなわち、この発明のロック操作装置は、相互に近接させた一対のステップＳ1 、Ｓ2 を、操作バーＢの中央に設け、この操作バーＢの両端部にそれぞれカム４を設けたものとしている。このカム４は、それぞれ前記一対のステップＳ1 、Ｓ2 のそれぞれのステップ部２、３の交互の踏み込み操作により上下方に回動して、前記キャスターＣのロックピン５を昇降動させることにより、キャスターＣをロック状態にしたり、アンロック状態にするようにしている。例えば、図示したように、前記キャスターＣは、ロックピン５の昇降動によって、このロックピン５の下端が直接、キャスターＣのタイヤ６に接触したり、そのタイヤ６から離れることにより、キャスターＣをロック状態にしたり、アンロック状態にするようにしている。なお、前記キャスターＣのロックピン５は、カム４が下方に回動したときに、このカム４に頭部５ａが押圧され下降するが、カム４が上方に回動したときは、ロックピン５に設けた反発バネ７によって頭部５ａが押し返され上昇するようにしている。
【００１９】
前記ステップＳ1 、Ｓ2 は、前記基体１に固着された支持体８に回動可能に支持されている。一方のステップＳ1 は、略直線状に形成されており、その基端部を操作バーＢに固着され、その回動端側を前記ステップ部２としている。他方のステップＳ2 は、略クランク状に形成されており、下方曲部９を支持体８に軸支し、上方曲部１０から回動端側を前記ステップ部３としている。そして、前記ステップＳ1 のステップ部２とステップＳ2 のステップ部３は、前記したように同一高さに配置するようにしている。
【００２０】
さらに、前記操作バーＢには、コイルバネ１１が巻装されており、一端が前記ステップＳ1 の基端側に設けた係止爪１２に係止され、他端が前記ステップＳ2 の基端側に設けた押圧凹部１３を押圧するようにしている。
【００２１】
また、前記ステップＳ1 の中間部には、噛み合いギヤ１４の一方１４ａを設け、前記ステップＳ2 の下方曲部９と上方曲部１０との間には、噛み合いギヤ１４の他方１４ｂを設けたものとしている。そして、前記ステップＳ1 、Ｓ2 のそれぞれのステップ部２、３の交互の踏み込み操作により、これら噛み合いギヤ１４の一方１４ａと他方１４ｂどうしが、噛み合ったり、噛み合いがずれて外れたりするようにしている。
【００２２】
すなわち、前記ステップＳ1 のステップ部２の踏み込み操作により、噛み合いギヤ１４の一方１４ａと他方１４ｂとが噛み合って、キャスターＣがロック状態となる位置に操作バーＢのカム４を回動させるようにしている。また、前記ステップＳ2 のステップ部３の踏み込み操作により、噛み合いギヤ１４一方１４ａと他方１４ｂとの噛み合いがずれて外れ、キャスターＣがアンロック状態となる位置に操作バーＢのカム４を回動させるようにしている。なお、噛み合いギヤ１４の一方１４ａと他方１４ｂとの噛み合いがずれて外れると、ステップＳ1 のステップ部２とステップＳ2 のステップ部３はコイルバネ１１の反発力によって共に元の位置に戻され、両ステップ部２、３は同一高さに配置するようになる。
【００２３】
したがって、この発明のロック操作装置は、前記ステップＳ1 のステップ部２が踏み込み状態にあるときは、キャスターＣがロック状態になっており、前記ステップＳ1 のステップ部２とステップＳ2 のステップ部３とが同一高さに配置しているときは、キャスターＣがアンロック状態になっているので、キャスターＣがロック状態になっているか、アンロック状態になっているかの確認が行い易くなる。
【符号の説明】
【００２４】
１  基体
２  ステップ部
３  ステップ部
４  カム
５  ロックピン
８  支持体
９  下方曲部
１１  コイルバネ
１０  上方曲部
１４  噛み合いギヤ
１４ａ  一方
１４ｂ  他方
Ｂ  操作バー
Ｃ  キャスター
Ｓ1 ステップ
Ｓ2 ステップ
【図１】
2012101562.tif 000003
【図２】
2012101562.tif 000004
【図３】
2012101562.tif 000005
【図４】
2012101562.tif 000006
【図５】
2012101562.tif 000007
【図６】
2012101562.tif 000008
【図７】
2012101562.tif 000009
【図８】
2012101562.tif 000010
【図９】
2012101562.tif 000011
【図１０】
2012101562.tif 000012
【図１１】
2012101562.tif 000013
【図１２】
2012101562.tif 000014